(57)【要約】【課題】            固定ピンを挿通する部分が破損しても固定ピンの傾きを防ぎ捩りコイルバネの脱落を防止できる換気装置の化粧グリルを得る。【解決手段】        コイル部２からＶ字状に開いた二本の腕３が延びる捩りコイルバネ４で換気装置本体に着脱可能に吊支持され、捩りコイルバネ４は、コイル部２が背面側に突出する一体の外壁６と内壁７の間に収められ、コイル部２を貫く固定ピン８が内外壁７，６間に挿通されて取付けられている換気装置の化粧グリルについて、その固定ピン８には基部に内壁７に当るフランジ９が設けられていて、固定ピン８の先が突き出す側の外壁６には固定ピン８の傾きを規制する傾斜防止リブ１０が一体に設けられている。【選択図】          図３
2007271179.tif 000002
【特許請求の範囲】
【請求項１】
コイル部からＶ字状に開いた二本の腕が延びる捩りコイルバネで換気装置本体に着脱可能に吊支持され、その捩りコイルバネは、前記コイル部が背面側に突出する一体の二列の壁の間に収められ、同コイル部を貫く固定ピンが壁間に挿通されて取付けられている換気装置の化粧グリルであって、前記固定ピンには基部に前記壁に当るフランジが設けられていて、同固定ピンの先が突き出す側の前記壁には同固定ピンの傾きを規制する傾斜防止リブが一体に設けられた換気装置の化粧グリル。
【請求項２】
請求項１に記載の換気装置の化粧グリルであって、前記固定ピンの先が突き出す側の壁は、もう一つの壁より強度が高く構成されている換気装置の化粧グリル。
【請求項３】
請求項１又は請求項２のいずれかに記載の換気装置の化粧グリルであって、固定ピンの先が突き出す側の壁に、固定ピンの先を取り囲む防護壁を設けた換気装置の化粧グリル。
【請求項４】
請求項３に記載の換気装置の化粧グリルであって、防護壁を捩りコイルバネのコイル部が挿通できるようにし、壁には二本の腕を逃がす切欠きを設け、捩りコイルバネを倒伏できるようにした換気装置の化粧グリル。
【発明の詳細な説明】
【技術分野】
【０００１】
本発明は、天井に取付けられる換気装置の化粧グリルに関するものである。
【背景技術】
【０００２】
天井に取付けられる換気装置の化粧グリルは、コイル部からＶ字状に開いた二本の腕が延びた捩りコイルバネで本体に着脱可能に吊支持されているものが多い。捩りコイルバネは、化粧グリルの背面側に取付けた取付部材の引掛部にコイル部を引っ掛けたり、コイル部にピンを挿通して取付けられている（特許文献１，２参照）。
【０００３】
【特許文献１】実公平６−５５４６号公報
【特許文献２】特開２０００−２５７９４８号公報
【発明の開示】
【発明が解決しようとする課題】
【０００４】
従来の捩りコイルバネの取付け方には次のような問題がある。即ち、取付部材を固定しているネジが緩んだり、外れた場合、引掛部が傾き、コイル部が抜けてしまう。ピンをコイル部に挿通したものでは、ピンを差込んだ係止部材が破損するとピンが傾き、やはりコイル部が脱落する。こうなると、化粧グリルは支持を失い落下することになる。
【０００５】
本発明は、上記した課題を解決するためになされたものであり、その目的とするところは、固定ピンを挿通する部分が破損しても固定ピンの傾きを防ぎ捩りコイルバネの脱落を防止できる換気装置の化粧グリルを得ることであり、その化粧グリルの安全機能や包装機能を充実させることである。
【課題を解決するための手段】
【０００６】
上記課題を解決するために本発明は、コイル部からＶ字状に開いた二本の腕が延びる捩りコイルバネで換気装置本体に着脱可能に吊支持され、その捩りコイルバネは、コイル部が背面側に突出する一体の二列の壁の間に収められ、コイル部を貫く固定ピンが壁間に挿通されて取付けられている換気装置の化粧グリルについて、その固定ピンには基部に壁に当るフランジを設け、固定ピンの先が突き出す側の壁には固定ピンの傾きを規制する傾斜防止リブを一体に設ける手段を採用する。
【発明の効果】
【０００７】
本発明によれば、固定ピンを挿通する壁が破損しても固定ピンに掛かるモーメントは傾斜防止リブで受止められ、固定ピンの傾きが防がれ、捩りコイルバネの脱落を防止できる。
【発明を実施するための最良の形態】
【０００８】
本発明の換気装置の化粧グリルは、プラスチックの一体成型物であり、コイル部からＶ字状に開いた二本の腕が延びる、一対の対向する捩りコイルバネで換気装置本体に着脱可能に吊支持される。捩りコイルバネは、コイル部が背面側に突出する一体の二列の壁の間に収められ、コイル部を貫く固定ピンが壁間に挿通されて取付けられている。固定ピンには基部に壁に当るフランジが設けられ、固定ピンの先が突き出す側の壁には固定ピンの傾きを規制する傾斜防止リブが壁の基部側に一体に設けられている。固定ピンの先が突き出した壁の壁面には、固定ピンの先端を取り囲むように防護壁が設けられている。固定ピンの先が突き出す壁は、フランジが当る壁より傾斜防止リブと防護壁により強度が高くなっている。
【０００９】
本発明によれば、固定ピンのフランジの当っている壁が破損すると、固定ピンに先端側を壁の基部側に押付けるモーメントが掛かるが、このモーメントによる力は傾斜防止リブで受止められ、固定ピンの傾きは防止される。破損した壁にはフランジが接触しているので固定ピンは水平位のままに維持され、捩りコイルバネの脱落が防止される。壁の破損は、起こるとしても強度の低いフランジの当っている側に規定されるため、固定ピンの傾きによって起きるコイル部の脱落は回避され、化粧グリルの落下が未然に防がれる。固定ピンの先は防護壁に囲まれているので、施工時やメンテナンス時などに固定ピンのエッヂで手を怪我するような不都合も回避される。
【００１０】
実施の形態１．
図１〜図４によって示す本実施の形態は、換気装置の化粧グリルに関するものである。図１は、換気装置を取付状態で示す断面図、図２は、化粧グリルの背面側斜視図、図３は、捩りコイルバネの取付けを示す分解斜視図、図４は、捩りコイルバネの取付部分の要部を示す斜視図である。
【００１１】
本実施の形態の換気装置の化粧グリル１は、プラスチックの一体成型物であり、コイル部２からＶ字状に開いた二本の腕３が延びる、一対の対向する捩りコイルバネ４で換気装置本体５に着脱可能に吊支持される（図１参照）。捩りコイルバネ４は、コイル部２が背面側に突き出す一体の内外二列の枠形の外壁６と内壁７の間に収められ、コイル部２を貫く固定ピン８が外壁６と内壁７の間に挿通されて取付けられている（図４参照）。この部分の内壁７と外壁６は部分的に他の部分より突出量が大きくされている。固定ピン８には図３に示すように基部に内壁７に当るフランジ９が設けられ、固定ピン８の先が突き出す外壁６には固定ピン８の傾きを規制する傾斜防止リブ１０が外壁６の基部側に縦に一体に設けられている（図４参照）。固定ピン８の先が突き出した外壁６の壁面には、固定ピン８の先端を取り囲むように防護壁１１が設けられている。固定ピン８の先が突き出す外壁６はフランジ９が当る内壁７より傾斜防止リブ１０と防護壁１１により当該部の強度が高くなっている。
【００１２】
本実施の形態の化粧グリル１によれば、固定ピン８のフランジ９の当っている内壁７が破損すると、固定ピン８に先端側を外壁６の基部側に押付けるモーメントが掛かるが、このモーメントによる力は傾斜防止リブ１０で受止められ、固定ピン８の傾きは防止される。破損した内壁７にはフランジ９が接触しているので固定ピン８は水平位のままに維持され、捩りコイルバネ４の脱落が防止される。壁の破損は、起こるとしても強度の低いフランジ９の当っている内壁７に規定されるため、固定ピン８の傾きによって起きるコイル部２の脱落は回避され、化粧グリル１の落下が未然に防がれる。固定ピン８の先は防護壁１１に囲まれているので、施工時やメンテナンス時などに固定ピン８のエッヂで手を怪我するような不都合も回避される。
【００１３】
実施の形態２．
図５に示す本実施の形態は、化粧グリルの包装機能の向上を図ったもので、基本的構成は実施の形態１のものと同じである。従って、実施の形態１のものと同じ部分については実施の形態１と同じ符号を用い、それらについての説明は省略する。
【００１４】
図５は本実施の形態の化粧グリル１の要部を示す斜視図である。この図からも分かるように、捩りコイルバネ４を取付ける部分の外壁６に切欠き１２が設けられている。切欠き１２は、防護壁１１の両側に設けられ、防護壁１１は捩りコイルバネ４のコイル部２が挿通できる寸法に構成されている。切欠き１２は、捩りコイルバネ４の二本の腕３を逃がすための構成である。梱包に際し、捩りコイルバネ４のコイル部２を固定ピン８から防護壁１１に挿通させて外側に倒し込めば、大きく突き出した腕３を化粧グリル１の背面に倒伏させることができ、化粧グリルの平面積ほどの包装形態にすることができ包装機能が向上する。これ以外の機能は実施の形態１のものと同じである。
【図面の簡単な説明】
【００１５】
【図１】換気装置を取付状態で示す断面図である。（実施の形態１）
【図２】化粧グリルの背面側斜視図である。（実施の形態１）
【図３】捩りコイルバネの取付けを示す分解斜視図である。（実施の形態１）
【図４】捩りコイルバネの取付部分の要部を示す斜視図である。（実施の形態１）
【図５】捩りコイルバネの取付部分の要部を示す斜視図である。（実施の形態２）
【符号の説明】
【００１６】
１  化粧グリル、  ２  コイル部、  ３  腕、  ４  捩りコイルバネ、  ５  換気装置本体、  ６  外壁、  ７  内壁、  ８  固定ピン、  ９  フランジ、  １０  傾斜防止リブ、  １１  防護壁、  １２  切欠き。
【図１】
2007271179.tif 000003
【図２】
2007271179.tif 000004
【図３】
2007271179.tif 000005
【図４】
2007271179.tif 000006
【図５】
2007271179.tif 000007